(57)【要約】【課題】溶接の施工のための時間やコストの削減を図ることが可能な梁接合構造を提供する。【解決手段】ウェブ１１及び前記ウェブ１１の両端に設けられた一対のフランジを有する大梁１０と、小梁２０と、前記大梁１０と前記小梁２０とを接合するガセットプレート３０と、を具備する梁接合構造１であって、前記ガセットプレート３０は、前記大梁１０に対して溶接される第一固定部３１及び前記小梁２０に対してボルトを介して固定される第二固定部３２を具備し、前記第一固定部３１は、フランジ溶接部５０を介して前記一対のフランジにそれぞれ溶接されるとともに、ウェブ溶接部４０を介して前記ウェブ１１に溶接され、前記ウェブ溶接部４０は、前記ウェブ１１の一端部と前記第一固定部３１とを固定する上部溶接部４１、及び前記上部溶接部４１と離間して形成され、前記ウェブ１１の他端と前記第一固定部３１とを固定する下部溶接部４２を含む。【選択図】図２
2018104960.tif 000002
【特許請求の範囲】
【請求項１】
ウェブ及び前記ウェブの両端に設けられた一対のフランジを有する第一の梁と、
第二の梁と、
前記第一の梁と前記第二の梁とを接合するガセットプレートと、
を具備する梁接合構造であって、
前記ガセットプレートは、
前記第一の梁に対して溶接される第一の固定部及び前記第二の梁に対してボルトを介して固定される第二の固定部を具備し、
前記第一の固定部は、
フランジ溶接部を介して前記一対のフランジにそれぞれ溶接されるとともに、ウェブ溶接部を介して前記ウェブに溶接され、
前記ウェブ溶接部は、
前記ウェブの一端部と前記第一の固定部とを固定する一端側溶接部、及び前記一端側溶接部と離間して形成され、前記ウェブの他端部と前記第一の固定部とを固定する他端側溶接部を含む、
梁接合構造。
【請求項２】
前記ウェブ溶接部は、
前記フランジ溶接部と連続するように形成される、
請求項１に記載の梁接合構造。
【請求項３】
前記ガセットプレートは、
前記ウェブを挟んで一対設けられ、
一対の前記ガセットプレートのうち一方を前記ウェブに溶接する前記ウェブ溶接部は、他方を前記ウェブに溶接する前記ウェブ溶接部と、前記ウェブを挟んで互いに対称となるように形成される、
請求項１又は請求項２に記載の梁接合構造。
【請求項４】
ウェブ及び前記ウェブの両端に設けられた一対のフランジを有する第一の梁、第二の梁及びガセットプレートを準備する準備工程と、
前記ガセットプレートと前記一対のフランジとをそれぞれ溶接するフランジ溶接部、及び互いに離間した位置において前記ガセットプレートと前記ウェブの両端部とをそれぞれ溶接するウェブ溶接部を形成する溶接工程と、
前記ガセットプレートと前記第二の梁とをボルトを介して固定する締結工程と、
を具備する梁接合方法。
【請求項５】
前記溶接工程において、
前記ウェブ溶接部は、前記フランジ溶接部と連続するように形成される、
請求項４に記載の梁接合方法。
【発明の詳細な説明】
【技術分野】
【０００１】
本発明は、梁同士を接合する梁接合構造及び梁接合方法の技術に関する。
【背景技術】
【０００２】
従来、梁同士を接合する梁接合構造の技術は公知となっている。例えば、特許文献１に記載の如くである。
【０００３】
特許文献１に記載の技術では、大梁の上下フランジとウェブに囲まれた内部にガセットプレートが設けられている。ガセットプレートの各辺は、上下フランジ及びウェブにそれぞれ溶接されている。ガセットプレートには突起が設けられ、当該突起を小梁に形成された係止孔に係止することで、当該ガセットプレートと小梁とが固定される。このようにして、大梁と小梁は、ガセットプレートを介して接合される。
【０００４】
しかしながら、特許文献１に記載の技術では、ガセットプレートと大梁とを固定する際の溶接量が多く、溶接の施工のために多くの時間が必要であったり、コストが増大してしまう点で不利であった。
【先行技術文献】
【特許文献】
【０００５】
【特許文献１】特開２００７−１９１８８４号公報
【発明の概要】
【発明が解決しようとする課題】
【０００６】
本発明は以上の如き状況に鑑みてなされたものであり、その解決しようとする課題は、溶接の施工のための時間やコストの削減を図ることが可能な梁接合構造及び梁接合方法を提供することである。
【課題を解決するための手段】
【０００７】
本発明の解決しようとする課題は以上の如くであり、次にこの課題を解決するための手段を説明する。
【０００８】
即ち、請求項１においては、ウェブ及び前記ウェブの両端に設けられた一対のフランジを有する第一の梁と、第二の梁と、前記第一の梁と前記第二の梁とを接合するガセットプレートと、を具備する梁接合構造であって、前記ガセットプレートは、前記第一の梁に対して溶接される第一の固定部及び前記第二の梁に対してボルトを介して固定される第二の固定部を具備し、前記第一の固定部は、フランジ溶接部を介して前記一対のフランジにそれぞれ溶接されるとともに、ウェブ溶接部を介して前記ウェブに溶接され、前記ウェブ溶接部は、前記ウェブの一端部と前記第一の固定部とを固定する一端側溶接部、及び前記一端側溶接部と離間して形成され、前記ウェブの他端部と前記第一の固定部とを固定する他端側溶接部を含むものである。
【０００９】
請求項２においては、前記ウェブ溶接部は、前記フランジ溶接部と連続するように形成されるものである。
【００１０】
請求項３においては、前記ガセットプレートは、前記ウェブを挟んで一対設けられ、一対の前記ガセットプレートのうち一方を前記ウェブに溶接する前記ウェブ溶接部は、他方を前記ウェブに溶接する前記ウェブ溶接部と、前記ウェブを挟んで互いに対称となるように形成されるものである。
【００１１】
請求項４においては、ウェブ及び前記ウェブの両端に設けられた一対のフランジを有する第一の梁、第二の梁及びガセットプレートを準備する準備工程と、前記ガセットプレートと前記一対のフランジとをそれぞれ溶接するフランジ溶接部、及び互いに離間した位置において前記ガセットプレートと前記ウェブの両端部とをそれぞれ溶接するウェブ溶接部を形成する溶接工程と、前記ガセットプレートと前記第二の梁とをボルトを介して固定する締結工程と、を具備するものである。
【００１２】
請求項５においては、前記溶接工程において、前記ウェブ溶接部は、前記フランジ溶接部と連続するように形成されるものである。
【発明の効果】
【００１３】
本発明の効果として、以下に示すような効果を奏する。
【００１４】
請求項１においては、溶接の施工のための時間やコストの削減を図ることができる。
【００１５】
請求項２においては、耐久性の向上を図ることができる。
【００１６】
請求項３においては、ウェブの変形を抑制することができる。
【００１７】
請求項４においては、溶接の施工のための時間やコストの削減を図ることができる。
【００１８】
請求項５においては、耐久性の向上を図ることができる。
【図面の簡単な説明】
【００１９】
【図１】本発明の一実施形態に係る梁接合構造を示した斜視図。
【図２】同じく、正面図。
【図３】本実施形態に係る梁接合方法を示した図。
【図４】第一変形例に係る梁接合構造を示した正面図。
【図５】第二変形例に係る梁接合構造を示した正面図。
【発明を実施するための形態】
【００２０】
以下では、図中の矢印に基づいて、前後方向、左右方向及び上下方向を定義して説明を行う。
【００２１】
まず、図１及び図２を用いて、本発明の実施の一形態に係る梁接合構造１について説明する。
【００２２】
本実施形態に係る梁接合構造１は、具体的には鉄骨構造物の大梁１０と小梁２０との接合に関する構造である。梁接合構造１は、主として大梁１０、小梁２０及びガセットプレート３０を具備する。
【００２３】
大梁１０は、Ｈ形鋼により構成される。具体的には、大梁１０は、板面を左右に向けたウェブ１１、ウェブ１１の上端に固定された上フランジ１２、及びウェブ１１の下端に固定された下フランジ１３を具備する。ウェブ１１の上下両端部は、それぞれ上フランジ１２及び下フランジ１３の左右中央に固定される。これによって、大梁１０は、正面視Ｉ字状に形成される。本実施形態において、大梁１０は長手方向を前後に向けて配置されている。
【００２４】
小梁２０は、Ｈ形鋼により構成される。具体的には、小梁２０は、大梁１０と略同様に、ウェブ２１、上フランジ２２及び下フランジ２３を具備する。本実施形態において、小梁２０は長手方向を左右に向けて、大梁１０のすぐ右方に配置されている。小梁２０のウェブ２１の左端部近傍には、当該ウェブ２１を前後に貫通する貫通孔２１ａが上下に３つ並ぶように形成される（図２参照）。
【００２５】
ガセットプレート３０は、大梁１０と小梁２０とを接合するためのものである。ガセットプレート３０は、板面を前後に向けた板状に形成される。ガセットプレート３０は、主として第一固定部３１及び第二固定部３２を具備する。
【００２６】
第一固定部３１は、大梁１０に対して固定される部分である。第一固定部３１は、正面視矩形状に形成される。第一固定部３１は、大梁１０のウェブ１１のすぐ右方に配置される。具体的には、第一固定部３１の左端は、ウェブ１１の右側面に当接される。また第一固定部３１の上下両端は、それぞれ上フランジ１２及び下フランジ１３に当接される。このようにして、第一固定部３１は、大梁１０の内側（ウェブ１１、上フランジ１２及び下フランジ１３に囲まれた部分）に配置される。
【００２７】
このように、第一固定部３１は、大梁１０の内側に配置された状態で、大梁１０に対して溶接される。なお、当該溶接については後に詳述する。
【００２８】
第二固定部３２は、小梁２０に対して固定される部分である。第二固定部３２は、正面視矩形状に形成される。第二固定部３２の上下幅は、第一固定部３１の上下幅よりも小さく形成される。第二固定部３２は、第一固定部３１の右上部から右方（大梁１０よりも右方）に突出するように形成される。第二固定部３２の右端部近傍には、当該第二固定部３２を前後に貫通する貫通孔３２ａが上下に３つ並ぶように形成される。第二固定部３２は、小梁２０のウェブ２１のすぐ前方に配置される。この際、第二固定部３２は、当該第二固定部３２の貫通孔３２ａが、正面視において小梁２０の貫通孔２１ａと重複するように配置される。この状態で、当該貫通孔２１ａ及び貫通孔３２ａに複数のボルト（ボルト群）（不図示）が挿通され、適宜ナット（不図示）と締結されることで、第一固定部３１と小梁２０とが固定される。
【００２９】
次に、ガセットプレート３０（第一固定部３１）と大梁１０との溶接について、詳細に説明する。
【００３０】
図２に示すように、本実施形態に係る梁接合構造１では、ガセットプレート３０の前側（図２における紙面手前側）において、当該ガセットプレート３０とウェブ１１とを溶接することで、ウェブ溶接部４０が形成される。また、ガセットプレート３０の前側において、当該ガセットプレート３０と上フランジ１２及び下フランジ１３とを溶接することで、フランジ溶接部５０が形成される。
【００３１】
ウェブ溶接部４０は、上部溶接部４１及び下部溶接部４２を含んでいる。
【００３２】
上部溶接部４１は、ガセットプレート３０とウェブ１１とが溶接された部分である。上部溶接部４１は、第一固定部３１の左端のうち、上端部近傍（上端及びその近傍、すなわち、上端から下方に向かって所定の範囲）と、ウェブ１１の上端部近傍と、を隅肉溶接することで形成される。
【００３３】
下部溶接部４２は、ガセットプレート３０とウェブ１１とが溶接された部分である。下部溶接部４２は、第一固定部３１の左端のうち、下端部近傍（下端及びその近傍、すなわち、下端から上方に向かって所定の範囲）と、ウェブ１１の下端部近傍と、を隅肉溶接することで形成される。この際、下部溶接部４２は、上部溶接部４１から離間するように形成される。すなわち、第一固定部３１の左端の上下中央部は、ウェブ１１と溶接されていない。
【００３４】
フランジ溶接部５０は、上フランジ溶接部５１及び下フランジ溶接部５２を含んでいる。
【００３５】
上フランジ溶接部５１は、ガセットプレート３０と上フランジ１２とを溶接する部分である。上フランジ溶接部５１は、第一固定部３１の上端のうち、左端部近傍（左端及びその近傍、すなわち、左端から右方に向かって所定の範囲）と、上フランジ１２と、を隅肉溶接することで形成される。この際、上フランジ溶接部５１の左端は、上部溶接部４１の上端と連続（接続）するように形成される。
【００３６】
下フランジ溶接部５２は、ガセットプレート３０と下フランジ１３とを溶接する部分である。下フランジ溶接部５２は、第一固定部３１の下端のうち、左端部近傍（左端から右方に向かって所定の範囲）と、下フランジ１３と、を隅肉溶接することで形成される。この際、下フランジ溶接部５２の左端は、下部溶接部４２の下端と連続（接続）するように形成される。
【００３７】
このように、本実施形態においては、上部溶接部４１及び上フランジ溶接部５１と、下部溶接部４２及び下フランジ溶接部５２とは、上下対称となるように形成される。
【００３８】
次に、ウェブ溶接部４０（上部溶接部４１及び下部溶接部４２）及びフランジ溶接部５０（上フランジ溶接部５１及び下フランジ溶接部５２）の寸法（後述する必要有効長さｌ１及び必要有効長さｌ２）の決定方法について説明する。
【００３９】
なお、以下では、上部溶接部４１の必要有効長さ（上下方向の必要有効長さ）をｌ１とする。また、下部溶接部４２の必要有効長さは、上部溶接部４１の必要有効長さ（ｌ１）と同一であるものとする。ここで、上部溶接部４１及び下部溶接部４２の必要有効長さとは、ガセットプレート３０と小梁２０との接合部（ボルト接合部）に作用するせん断力Ｑによって、上部溶接部４１及び下部溶接部４２に生じるせん断力Ｑ１に耐え得る有効長さである。
【００４０】
また、以下では、上フランジ溶接部５１の必要有効長さ（左右方向の必要有効長さ）をｌ２とする。また、下フランジ溶接部５２の必要有効長さは、上フランジ溶接部５１の必要有効長さ（ｌ２）と同一であるものとする。ここで、上フランジ溶接部５１及び下フランジ溶接部５２の必要有効長さとは、ガセットプレート３０と小梁２０との接合部（ボルト接合部）に作用するせん断力Ｑによって、上フランジ溶接部５１及び下フランジ溶接部５２に生じる偶力Ｐ２に耐え得る有効長さである。
【００４１】
まず、ガセットプレート３０と小梁２０との接合部（ボルト接合部）に作用するせん断力Ｑを、下記の数１で与える。
【００４２】
【数１】
2018104960.tif 000003
2018104960.tif 000004
【００４３】
ウェブ溶接部４０に作用するせん断力Ｑ１は、下記の数２で表される。
【００４４】
【数２】
2018104960.tif 000005
【００４５】
隅肉溶接のサイズをＳとすると、下記の数３が成立する。
【００４６】
【数３】
2018104960.tif 000006
2018104960.tif 000007
【００４７】
よって、上部溶接部４１の必要有効長さｌ１は下記の数４で与えられる。
【００４８】
【数４】
2018104960.tif 000008
【００４９】
上記数４で算出される必要有効長さｌ１以上の値となるように、上部溶接部４１及び下部溶接部４２を形成することで、当該上部溶接部４１及び下部溶接部４２はせん断力Ｑ１に耐えることができる。
【００５０】
なお、本実施形態においては、ガセットプレート３０の前側においてウェブ溶接部４０を形成する（いわゆる、片面隅肉溶接を施す）ものとしたが、例えばガセットプレート３０の後側にも、前側と同じ寸法で溶接する（いわゆる、両面隅肉溶接を施す）場合、上部溶接部４１の必要有効長さｌ１は上記数４の半分（１／２）となる。
【００５１】
また、フランジ溶接部５０に作用する偶力Ｐ２は、以下の数５で表される。
【００５２】
【数５】
2018104960.tif 000009
2018104960.tif 000010
【００５３】
なお、上記数５において、Ｈは大梁１０の上下幅（梁せい）、ｔｆは上フランジ１２及び下フランジ１３の厚さである。また、隅肉溶接のサイズをＳとすると、下記の数６が成立する。
【００５４】
【数６】
2018104960.tif 000011
【００５５】
よって、上フランジ溶接部５１の必要有効長さｌ２は下記の数７で与えられる。
【００５６】
【数７】
2018104960.tif 000012
【００５７】
上記数７で算出される必要有効長さｌ２以上の値となるように、上フランジ溶接部５１及び下フランジ溶接部５２を形成することで、当該上フランジ溶接部５１及び下フランジ溶接部５２は偶力Ｐ２に耐えることができる。
【００５８】
なお、本実施形態においては、ガセットプレート３０の前側においてフランジ溶接部５０を形成する（いわゆる、片面隅肉溶接を施す）ものとしたが、例えばガセットプレート３０の後側にも、前側と同じ寸法で溶接する（いわゆる、両面隅肉溶接を施す）場合、上フランジ溶接部５１の必要有効長さｌ２は上記数７の半分（１／２）となる。
【００５９】
以下では、図３を用いて、上述のような梁接合構造１を用いた梁の接合方法（梁接合方法）について説明する。
【００６０】
本実施形態の梁接合方法においては、準備工程Ｓ１、溶接工程Ｓ２及び締結工程Ｓ３が順に施される。
【００６１】
まず、準備工程Ｓ１において、梁接合構造１に用いられる各部材、すなわち、大梁１０、小梁２０及びガセットプレート３０が準備される。
【００６２】
次に、大梁１０に、ガセットプレート３０の第一固定部３１が溶接される。この際の必要有効長さｌ１及び必要有効長さｌ２は、上記数４及び数７を用いて決定される。
【００６３】
次に、大梁１０に固定されたガセットプレート３０の第二固定部３２と、小梁２０のウェブ２１とがボルト群によって締結される。このようにして、本実施形態の梁接合構造１が構成される。
【００６４】
以上の如く、本実施形態に係る梁接合構造１は、
ウェブ１１及び前記ウェブ１１の両端に設けられた一対のフランジ（上フランジ１２及び下フランジ１３）を有する大梁１０（第一の梁）と、
小梁２０（第二の梁）と、
前記大梁１０と前記小梁２０とを接合するガセットプレート３０と、
を具備する梁接合構造１であって、
前記ガセットプレート３０は、
前記大梁１０に対して溶接される第一固定部３１（第一の固定部）及び前記小梁２０に対してボルトを介して固定される第二固定部３２（第二の固定部）を具備し、
前記第一固定部３１は、
フランジ溶接部５０を介して前記一対のフランジにそれぞれ溶接されるとともに、ウェブ溶接部４０を介して前記ウェブ１１に溶接され、
前記ウェブ溶接部４０は、
前記ウェブ１１の一端部と前記第一固定部３１とを固定する上部溶接部４１（一端側溶接部）、及び前記上部溶接部４１と離間して形成され、前記ウェブ１１の他端と前記第一固定部３１とを固定する下部溶接部４２（他端側溶接部）を含むものである。
このように構成することにより、溶接の施工のための時間やコストの削減を図ることができる。すなわち、ウェブ１１の中途部には溶接を施さない（溶接部を形成しない）ため、溶接作業を削減することができ、時間やコストの削減を図ることができる。また、ウェブ１１の中途部には溶接を施さないため、当該ウェブ１１の熱ひずみによる変形を抑制することができる。これによって、当該ウェブ１１の変形を防止するような補強が不要となる。また、ウェブ１１の変形を抑制することで、品質の向上を図ることもできる。
【００６５】
また、前記ウェブ溶接部４０は、
前記フランジ溶接部５０と連続するように形成されるものである。
このように構成することにより、耐久性の向上を図ることができる。すなわち、ウェブ溶接部４０とフランジ溶接部５０とを連続させることで、本来フランジ溶接部５０で受けることになる偶力Ｐ２の一部を、ウェブ溶接部４０にも負担させることができる。これによって、フランジ溶接部５０の溶接が不十分であった場合にも、偶力Ｐ２による破損等の発生を抑制することができる。また、ウェブ溶接部４０とフランジ溶接部５０とを連続させることで、当該ウェブ溶接部４０とフランジ溶接部５０を連続して形成することができるため、作業効率の向上を図ることができる。
【００６６】
また、本実施形態に係る梁接合方法は、
ウェブ１１及び前記ウェブ１１の両端に設けられた一対のフランジ（上フランジ１２及び下フランジ１３）を有する大梁１０、小梁２０及びガセットプレート３０を準備する準備工程Ｓ１と、
前記ガセットプレート３０と前記一対のフランジとをそれぞれ溶接するフランジ溶接部５０、及び互いに離間した位置において前記ガセットプレート３０と前記ウェブ１１の両端部とをそれぞれ溶接するウェブ溶接部４０を形成する溶接工程Ｓ２と、
前記ガセットプレート３０と前記小梁２０とをボルトを介して固定する締結工程Ｓ３と、
を具備するものである。
このように構成することにより、溶接の施工のための時間やコストの削減を図ることができる。すなわち、ウェブ１１の中途部には溶接を施さない（溶接部を形成しない）ため、溶接作業を削減することができ、時間やコストの削減を図ることができる。
【００６７】
また、前記溶接工程Ｓ２において、
前記ウェブ溶接部４０は、前記フランジ溶接部５０と連続するように形成されるものである。
このように構成することにより、耐久性の向上を図ることができる。すなわち、ウェブ溶接部４０とフランジ溶接部５０とを連続させることで、本来フランジ溶接部５０で受けることになる偶力Ｐ２の一部を、ウェブ溶接部４０にも負担させることができる。これによって、フランジ溶接部５０の溶接が不十分であった場合にも、偶力Ｐ２による破損等の発生を抑制することができる。
【００６８】
また、上部溶接部４１及び下部溶接部４２の溶接長さ（上下方向長さ）は、ガセットプレート３０の第二固定部３２の上下幅の１／２以上とすることが望ましい。これによって、当該ガセットプレート３０を大梁１０に対してより強固に固定することができる。
【００６９】
なお、本実施形態に係る上フランジ１２及び下フランジ１３は、本発明に係る一対のフランジの実施の一形態である。
また、本実施形態に係る大梁１０は、本発明に係る第一の梁の実施の一形態である。
また、本実施形態に係る小梁２０は、本発明に係る第二の梁の実施の一形態である。
また、本実施形態に係る第一固定部３１は、本発明に係る第一の固定部の実施の一形態である。
また、本実施形態に係る第二固定部３２は、本発明に係る第二の固定部の実施の一形態である。
また、本実施形態に係る上部溶接部４１は、本発明に係る一端側溶接部の実施の一形態である。
また、本実施形態に係る下部溶接部４２は、本発明に係る他端側溶接部の実施の一形態である。
【００７０】
以上、本発明の実施形態を説明したが、本発明は上記構成に限定されるものではなく、特許請求の範囲に記載された発明の範囲内で種々の変更が可能である。
【００７１】
例えば、上記実施形態においては、上部溶接部４１及び上フランジ溶接部５１と、下部溶接部４２及び下フランジ溶接部５２とは、上下対称となるように形成されるものとしたが、本発明はこれに限るものではなく、上下非対称であってもよい。
【００７２】
また、上記実施形態においては、上フランジ溶接部５１及び上部溶接部４１、下フランジ溶接部５２及び下部溶接部４２は、それぞれ連続するように形成されるものとしたが、本発明はこれに限るものではない。例えば、図４に示す第一変形例のように、上フランジ溶接部５１及び上部溶接部４１、下フランジ溶接部５２及び下部溶接部４２を、それぞれ連続しないように（互いに離間するように）形成してもよい。
【００７３】
また、図５に示す第二変形例のように、ガセットプレート３０を左右一対設け、大梁１０と左右一対の小梁２０とを接合してもよい。この場合、左右のガセットプレート３０と大梁１０との溶接部（ウェブ溶接部４０及びフランジ溶接部５０）は、左右対称（ウェブ１１を挟んで対称）となるように形成されることが望ましい。
【００７４】
このように、前記ガセットプレート３０は、
前記ウェブ１１を挟んで一対設けられ、
一対の前記ガセットプレート３０のうち一方を前記ウェブ１１に溶接する前記ウェブ溶接部４０は、他方を前記ウェブ１１に溶接する前記ウェブ溶接部４０と、前記ウェブ１１を挟んで互いに対称となるように形成されるものである。
このように構成することにより、ウェブ１１の変形を抑制することができる。すなわち、ウェブ１１に対して対称にウェブ溶接部４０を形成することで、一対のウェブ溶接部４０による変形を互いに打ち消しあわせることができる。
【符号の説明】
【００７５】
１    梁接合構造
１０  大梁
１１  ウェブ
１２  上フランジ
１３  下フランジ
２０  小梁
３０  ガセットプレート
３１  第一固定部
３２  第二固定部
４０  ウェブ溶接部
４１  上部溶接部
４２  下部溶接部
５０  フランジ溶接部
５１  上フランジ溶接部
５２  下フランジ溶接部
【図１】
2018104960.tif 000013
【図２】
2018104960.tif 000014
【図３】
2018104960.tif 000015
【図４】
2018104960.tif 000016
【図５】
2018104960.tif 000017